(57)【要約】【課題】運搬可能な重量が制限されず、使用の利便性が高い旅行用ケースを提供する。【解決手段】旅行用ケースは、収納部およびフットスタンド・アセンブリを有する。収納部は、上部、底部、背部、ハンドル、複数の車輪、および、フットスタンド凹部を有する。ハンドルが、収納部の上部に取付けられている。車輪が収納部の底部に取付けられている。フットスタンド凹部が収納部の背部に取付けられている。フットスタンド・アセンブリは収納部の背部に取付けられ、フットスタンドおよび伸縮式支柱を有している。従って、旅行用ケースが荷物を詰め込まれた状態でも、使用者が旅行用ケースのぐらつきを防ぐために安定化することを要しない。従って、本考案に係る旅行用ケースは便利である。【選択図】図２
0003150016.tif 000002
【実用新案登録請求の範囲】
【請求項１】
収容部及びフットスタンド・アセンブリを備え、
前記収容部は、上部と、底部と、背部と、収納部の上に取付けられているハンドルと、前記収納部の底部に枢動可能に取付けられている複数の車輪とを有し、
前記フットスタンド・アセンブリは、前記収納部の背部に取付けられており、かつ、フットスタンド凹部に枢動可能に取付けられている上部と、底部と、２つの側部と、前記フットスタンドの底部に回転可能に取付けられている少なくとも１つの車輪と、前記収納部および前記フットスタンドの間で枢動可能かつ伸縮自在に取付けられている伸縮式支柱とを有する
ことを特徴とする旅行用ケース。
【請求項２】
前記フットスタンド・アセンブリの前記伸縮式支柱が、第１支持体と、２つの第２支持体と、枢軸と、２つのばねとを有し、
前記第１支持体は、２つの側部および前記２つの側部にそれぞれ形成された２つの第１スリーブを有しており、
前記第１スリーブは、前記収納部に枢動可能に取り付けられた上端部と、底端部と、前記第１スリーブの底端部上に形成された首部とを有し、
前記第２支持体は、前記第１支持体の前記２つの第１スリーブにそれぞれ取付けられており、かつ、上端部と、底端部と、第２スリーブの頂端部上に形成された頭部と、第２支持体の前記底端部に横断方向に形成された枢軸マウントとを有しており、
前記枢軸は、前記２つの第２支持体の前記枢軸マウントを経て横断方向に前記フットスタンドに回動可能に取付けられており、
前記ばねは、前記第１スリーブにそれぞれ取付けられ、前記第２支持体を前記第１スリーブから外方向にそれぞれ付勢する、請求項１に記載の旅行用ケース。
【請求項３】
２つの車輪が前記フットスタンドの前記底部に回転可能に取付けられ、前記フットスタンドの両側部にそれぞれ隣接している、請求項２に記載の旅行用ケース。
【請求項４】
前記収納部が更に、前記収納部の前記背部に設けられたフットスタンド凹部を更に有し、かつ、上部と、２つの側部と、収容空室と、前記フットスタンド凹部の両側にそれぞれ形成された２つの保持溝とを有しており、
前記各第１スリーブの上部が、前記フットスタンド凹部に枢動可能に取付けられている、請求項３に記載の旅行用ケース。
【請求項５】
前記収納部のフットスタンド凹部は、前記フットスタンド凹部の前記上部に形成された窪みと、２つの末端を有し、一端が前記収容空室と連通し、他端が前記収納部の前記室部と連通する、前記フットスタンド凹部の前記上部に形成された貫通孔と、前記フットスタンド凹部の前記２つの保持溝の間に形成され、前記フットスタンド凹部の前記収容空室と連通する固定チャネルとを更に有しており、
前記旅行用ケースはバックル装置を更に有しており、
該バックル装置は、前記フットスタンド凹部に取付けられたレバーと、前記フットスタンド凹部の前記固定チャネルに取付けられたバックル要素と、前記レバーと前記バックル要素との間に取付けられた取付アセンブリとを有しており、前記レバーは、前記フットスタンド凹部に移動可能に取付けられた可動ハンドルと、前記可動ハンドルから突出し、前記フットスタンド凹部の前記貫通孔を通るように、前記可動ハンドルに取付けられたガイド突起とを有しており、
前記バックル要素は、第１接続スリーブと、該第１接続スリーブに取付けられ、底部を有する第２接続スリーブと、前記第２接続スリーブと前記第１接続スリーブとの間に取付けられた接触ばねと、前記フットスタンド凹部において枢動可能に、前記第２接続スリーブの前記底部に取付けられ、前記伸縮式支柱の前記軸に着脱可能に係合するかかりを有するフックとを有しており、
前記取付アセンブリは、前記レバーの前記可動ハンドルと前記バックル要素の前記フックとの間に、前記第１接続スリーブ、前記第２接続スリーブ、前記接触バネを経て取付けられる取付ワイヤと、前記取付けワイヤの周囲に取付けられた保護スリーブと
を有する、請求項４に記載の旅行用ケース。
【考案の詳細な説明】
【技術分野】
【０００１】
本考案は旅行用ケースに関し、具体的には、折りたたみ式の骨格を有し、使用者による旅行用ケースの移動を支援できる旅行用ケースに関連する。
【背景技術】
【０００２】
多くの旅行用ケースが、旅行中に荷物を運ぶために用いられる。従来の旅行用ケースは、底部、背部、４つの車輪および引き手を有する。車輪は旅行用ケースの底部の四隅にそれぞれ取り付けられ、旅行用ケースの移動を容易にする。引き手は旅行用ケースの背面に取付けられ、旅行用ケースの保持を補助する。旅行用ケースを移動するときに、旅行用ケースは地面に対して傾けられるので、旅行用ケースの２つの車輪が地面を進む。
【０００３】
しかし、旅行用ケースが高重量の場合には、旅行用ケースがぐらつきやすいので、旅行者はぐらつきを防いで旅行用ケースを安定させるための労力を要し、結果的に運搬可能な重量が制限され、使用の利便性が損なわれる。
【０００４】
このような欠点を克服するために、本考案は上述の課題を緩和または予防をもたらす。
【考案の開示】
【０００５】
本考案の主たる目的は、旅行用ケースの移動を支援する折りたたみ式の骨格を有する旅行用ケースを提供することである。
【０００６】
本考案に従う旅行用ケースは、収納部とフットスタンド・アセンブリを備える。収納部は、上部、底部、背部、ハンドル、複数の車輪およびフットスタンド凹部を有する。ハンドルが収納部の上部に取付けられる。車輪が収納部の底部に枢動可能に取付けられる。フットスタンド凹部は、収納部の背部に取付けられる。フットスタンド・アセンブリは、収納部の背部に取付けられ、フットスタンドおよび伸縮式支柱を備えている。旅行用ケースが物を詰めた状態であっても、使用者が旅行用ケースをぐらつかないように安定化させることを要しない。従って、この旅行用ケースは利便性が高い。
【０００７】
本考案の他の目的、有用性、新規な特徴が、添付の図面を参照した以下の詳細な説明により、更に明らかにされるであろう。
【図面の簡単な説明】
【０００８】
【図１】本考案に従う旅行用ケースの背面図である。
【図２】フットスタンド・アセンブリが開放している図１の旅行用ケースの斜視図である。
【図３】図１の旅行用ケースの拡大斜視図である。
【図４】図１の旅行用ケースの伸縮式支柱の斜視図である。
【図５】図１の旅行用ケースのバックル装置の斜視図である。
【図６】フットスタンド・アセンブリが開放している図１の旅行用ケースの部分断面側面図のである。
【図７】フットスタンド・アセンブリが閉じている図１の旅行用ケースの部分断面側面図である。
【考案を実施するための形態】
【０００９】
図１〜３を参照すると、本考案に従う旅行用ケースは、収納部(１０)、フットスタンド・アセンブリ(２０)およびバックル装置（３０）を備える。
【００１０】
更に、図６を参照すると、収納部(１０)は、室部(１９)、上部、底部、背部、ハンドル(１１)、複数の車輪(１２)、フットスタンド凹部(１３)を有する。
【００１１】
ハンドル(１１)が収納部(１０)の上部に取付けられる。
【００１２】
車輪（１２）が収納部(１０)の底部に回転可能に取付けられる。
【００１３】
フットスタンド凹部(１３)が、収納部(１０)の背部に備えられ、上部、２つの側部、収容空洞(１４)、窪み(１５)、貫通孔(１６)、２つの保持溝(１７)および固定チャネル(１８)を有する。
【００１４】
窪み(１５)がフットスタンド凹部(１３)の上部に形成されている。貫通孔(１６)がフットスタンド凹部(１３)の上部に形成され、２つの端部を有する。貫通孔(１６)の一端は収容空室(１４)と連通する。貫通孔(１６)の他端は、収納部(１０)の室部(１９)と連通する。保持溝（１７）がフットスタンド凹部(１３)の左右にそれぞれ形成される。固定チャネル(１８)が、フットスタンド凹部(１３)の保持溝(１７)の間に形成されて、フットスタンド凹部(１３)の収容空洞(１４)と連通する。
【００１５】
フットスタンド・アセンブリ(２０)は、収納部(１０)の背部に取付けられ、フットスタンド（２１）および伸縮式支柱（２２）を有する。
【００１６】
フットスタンド（２１）は、フットスタンド凹部(１３)の収容空室(１４)に取付けられ、上部、底部、２つの側部および少なくとも一つの回転車輪（２３）を備えている。フットスタンド（２１）の上部が、フットスタンド凹部(１３)に枢動可能に取付けられる。少なくとも一つの車輪（２３）がフットスタンド（２１）の底部に回転可能に取付けられている。２つの回転車輪（２３）を設けることができ、その場合には、回転可能にフットスタンド（２１）の底部取付けられ、フットスタンド（２１）の両側にそれぞれ隣接し得る。
【００１７】
更に、図４を参照すると、フットスタンド・アセンブリ(２０)の伸縮式支柱（２２）は、収納部(１０)とフットスタンド（２１）との間で枢動可能かつ伸縮自在に設けられ、第１支持体(２４)、２つの第二支持体（２５）、枢軸（２６）および２つのばね（２７）を備えている。
【００１８】
第１支持体(２４)は、２つの側部および２つの第１スリーブ（２４１）を有する。第１スリーブ（２４１）は第１支持体(２４)の２つの側部の上にそれぞれ形成され、各第１スリーブ（２４１）は頂端部、底端部および首部（２４２）を有する。第１スリーブ（２４１）の頂端部は、収納部(１０)に枢動可能に取付けられ、フットスタンド（２１）最上部と収納部(１０)底部との間に位置する。首部（２４２）は、第１スリーブ（２４１）底端部に形成され、第１スリーブ（２４１）より狭くすることができる。代替的実施形態では、第１スリーブ（２４１）頂端部は、フットスタンド凹部(１３)に枢動可能に取付けられる。
【００１９】
第２支持体（２５）は、第１支持体(２４)の２つの第１スリーブ（２４１）にそれぞれ伸縮可能に取付けられ、各第２支持体(２５)は頂端部、底端部、頭部(２５１)および枢軸マウント（２５２）を有する。頭部(２５１)は、第２スリーブ（２５１）の頂端部に形成され、第１支持体（２４）の首部（２４２）に選択的に当接して、伸縮式支柱（２２）を延伸を制限する。枢軸マウント（２５２）は、横断方向に形成され、第２支持体（２５）の底端部を接続する。
【００２０】
枢軸（２６）は、２つの第２支持体（２５）の枢軸マウント（２５２）を経て横断方向に取付けられ、フットスタンド（２１）の底部に回転可能に設置される。
【００２１】
ばね（２７）は、第１のスリーブ（２４１）にそれぞれ取付けられ、それぞれ第２の支持体（２５）を第１のスリーブ（２４１）から外へ向かって付勢する。
【００２２】
更に図５の参照すると、バックル装置（３０）は、レバー（３１）、バックル要素（３２）および取付アセンブリ（３３）を備えている。
【００２３】
レバー（３１）は、フットスタンド凹部(１３)の窪み(１５)に取付けられ、可動ハンドル（３１１）およびガイド突起（３１２）を有する。可動ハンドル（３１１）は、フットスタンド凹部(１３)の窪み(１５)に、可動に取付けられる。ガイド突起（３１２）は、可動ハンドル（３１１）から突出する様に形成され、フットスタンド凹部(１３)の貫通孔(１６)を貫通し、フットスタンド凹部(１３)の窪み(１５)において可動に取付けられる。
【００２４】
バックル要素（３２）は、フットスタンド凹部(１３)の固定チャネル(１８)に取付けられ、第１接続スリーブ（３２１）、第２接続スリーブ（３２２）、接触バネ(３２３)およびフック（３２４）を備えている。
【００２５】
第２接続スリーブ（３２２）は第１接続スリーブ（３２１）に取り付けられ、かつ、底部を有する。接触バネ(３２３)は第２接続スリーブ（３２２）と第１接続スリーブ（３２１）との間に取付けられ、第２接続スリーブ（３２２）と第１接続スリーブ（３２１）との間に弾性力をもたらす。フック（３２４）は、フットスタンド凹部(１３)において枢動可能に、第２接続スリーブ（３２２）の底部に取付けられ、更に、かかり（３２５）を有する。かかり（３２５）は、入れ子式支柱（２２）の軸（２６）に着脱可能に係合して、フットスタンド・アセンブリ(２０)をフットスタンド凹部(１３)の収容空室(１４)に固定する。
【００２６】
取付アセンブリ（３３）は、レバー（３１）とバックル要素（３２）との間に取付けられ、取付ワイヤ（３３１）および保護スリーブ（３３２）を有する。取付ワイヤ（３３１）は、レバー（３１）の可動ハンドル（３１１）とバックル要素（３２）のフック（３２４）との間に取付けられ、第１接続スリーブ（３２１）、第２接続スリーブ（３２２）および接触バネ(３２３)を経て取付けられる。保護スリーブ（３３２）は、取付ワイヤ（３３１）周囲に取付けられ、取付ワイヤ（３３１）が損傷を受けないように保護する。
【００２７】
更に、図６を参照すると、旅行用ケースを移動する場合に、レバー（３１）が引かれ、バックル装置（３０）を動かして第２接続スリーブ（３２２）と第１接続スリーブ（３２１）との間の接触バネ(３２３)を圧縮して、フック（３２４）を枢動する。すると、フック（３２４）のかかり（３２５）は、枢軸（２６）上で解放される。これにより、伸縮式支柱（２２）は、収納部(１０)の背部の方へフットスタンド・アセンブリ(２０)のフットスタンド（２１）を押し出し、そして、少なくとも一つの車輪（２３）が地面に接して、旅行用ケースを動かしている使用者を補助する。
【００２８】
更に、図７を参照すると、旅行用ケースは格納されており、この場合においては、フットスタンド（２１）がフットスタンド凹部(１３)に押し戻され、バックル要素（３２）のフック（３２４）のかかり（３２５）がフットスタンド・アセンブリ(２０)の枢軸（２６）に掛かるようになる。従って、本考案の旅行用ケースは、旅行用ケース全体としての大きさを低減でき、適切な場所に容易に置くことができる。このように、本考案の旅行用ケースは、ぐらつかないように旅行用ケースを安定させるためにバランスをとる力を必要とせずに、詰め込むことができる。従って、本考案の旅行用ケースは、使用の利便性が高い。
【００２９】
本考案の詳細な構造および特徴と共に、本考案の多数の特徴および効果について、前述の説明に記載したが、本開示は例示に過ぎない。特に、形状、寸法および部品配置のような細部について、本考案の原理の範囲内において（添付の実用新案登録請求の範囲に記載した用語についての、広義の一般的な意味の範囲内において）変更が可能である。
【図１】
0003150016.tif 000003
【図２】
0003150016.tif 000004
【図３】
0003150016.tif 000005
【図４】
0003150016.tif 000006
【図５】
0003150016.tif 000007
【図６】
0003150016.tif 000008
【図７】
0003150016.tif 000009